(57)【要約】【課題】使い勝手の良い車載用ワイヤレスハンズフリー装置を提供する。【解決手段】携帯電話ＳＰが受信した音声信号は、ピックアップクリップ３のピックアップマイクロフォン５を介して送信機２１の送信回路から、イヤフォン１１の受信回路に無線送信される。イヤフォン１１では、録音／再生切替スイッチにより予め録音／再生回路が録音可能状態に切替られていると、イヤフォン１１を装置本体２から取り外すことにより、イヤフォン状態検出センサが装置本体からイヤフォン１１が取り外されていることを検出する。この検出信号に基づいて受信音声が録音媒体へ上書き録音されるとともに、イヤフォンスピーカーに出力される。イヤフォン１１を装置本体２に戻すことにより、受信音声は装置本体２のスピーカー２６から出力され、直接耳で聞くことができ、これ以後の受信音声は上書き録音されることがない。【選択図】図１
2006180011.tif 000002
【特許請求の範囲】
【請求項１】
自動車の車内で電話機を用いてハンズフリー通話を行なうための車載用ハンズフリー装置であって、
音声信号を受信する受信回路と、受信音声を録音媒体に録音するとともに録音した音声信号を再生する録音／再生回路と、イヤフォンが装置本体から取り外されていることを検出するイヤフォン状態検出手段と、前記録音／再生回路を録音可能と再生専用に切り替える切替手段とを備え、
前記切替手段により録音／再生回路が録音可能に切替わっている場合は、前記イヤフォンが装置本体から取り外されたことが検出されると、受信音声が前記録音／再生回路により上書き録音されるとともに、イヤフォンスピーカーに出力されるワイヤレスイヤフォンと、
前記電話機で受信しピックアップマイクロフォンを介して入力した音声信号を、前記受信回路に無線送信する送信回路と、前記イヤフォンが装置本体にセットされていることを検出するイヤフォン検出手段と、前記音声信号を装置本体に設けたスピーカーと送信回路に切り替えて出力する送信音声出力切替手段とを備え、
前記イヤフォンが装置本体にセットされていることが検出された場合には、音声出力が送信回路から前記スピーカーに切替わる送信機と、
から構成したことを特徴とする車載用ワイヤレスハンズフリー装置。
【請求項２】
自動車の車内で電話機を用いてハンズフリー通話を行なうための車載用ハンズフリー装置であって、
音声信号を受信する受信回路と、受信音声を録音媒体に録音するとともに録音した音声信号を再生する録音／再生回路と、イヤフォンが装置本体から取り外されていることを検出するイヤフォン状態検出手段と、前記録音／再生回路を再生に切り替える再生スイッチとを備え、
前記イヤフォンが装置本体から取り外されたことが検出されると、所定時間内に再生スイッチが操作されない場合は、自動的に受信音声が前記録音／再生回路により上書き録音されるとともに、イヤフォンスピーカーに出力され、所定時間内に再生スイッチが操作されると、それまでに上書き録音された受信音声がイヤフォンスピーカーに出力されるワイヤレスイヤフォンと、
前記電話機で受信しピックアップマイクロフォンを介して入力した音声信号を、前記受信回路に無線送信する送信回路と、前記イヤフォンが装置本体にセットされていることを検出するイヤフォン検出手段と、前記音声信号を装置本体に設けたスピーカーと送信回路に切り替えて出力する送信音声出力切替手段とを備え、
前記イヤフォンが装置本体にセットされていることが検出された場合には、音声出力が送信回路から前記スピーカーに切替わる送信機と、
から構成したことを特徴とする車載用ワイヤレスハンズフリー装置。
【請求項３】
前記受信回路が受信する音声信号若しくは音声信号の搬送波を検出している間、上書き録音を行なうことを特徴とする請求項１又は請求項２に記載の車載用ワイヤレスハンズフリー装置。
【発明の詳細な説明】
【技術分野】
【０００１】
本発明は、自動車の車内で携帯電話機等を用いてハンズフリー通話を行なうとともに、受信した通話内容を必要に応じて録音できる車載用ワイヤレスハンズフリー装置に関するものである。
【背景技術】
【０００２】
特開２００４−１４７３０２号公報及び特開２００４−３４３３３５号公報に開示されるように、運転中に電話が掛かってきた場合のメモ代わりに、受信音声を録音できるようにした車載用ハンズフリー装置がある。
【０００３】
しかしながら、上記公報に開示されたものは、何れも受信したときワイヤレスイヤフォンを耳へ装着することにより録音を開始できるようにしたものではない。
【特許文献１】特開２００４−１４７３０２号公報
【特許文献１】特開２００４−３４３３３５号公報
【発明の開示】
【発明が解決しようとする課題】
【０００４】
本発明は上記に鑑みてなされたもので、受信したときワイヤレスイヤフォンを耳へ装着することにより録音を開始できるとともに、ワイヤレスイヤフォンを本体装置に戻すことにより、録音を停止して通話内容を残すことができる使い勝手の良い車載用ワイヤレスハンズフリー装置を提供することを目的とするものである。
【課題を解決するための手段】
【０００５】
上記課題を解決するための請求項1に記載の車載用ワイヤレスハンズフリー装置は、自動車の車内で電話機を用いてハンズフリー通話を行なうための車載用ハンズフリー装置であって、音声信号を受信する受信回路と、受信音声を録音媒体に録音するとともに録音した音声信号を再生する録音／再生回路と、イヤフォンが装置本体から取り外されていることを検出するイヤフォン状態検出手段と、前記録音／再生回路を録音可能と再生専用に切り替える切替手段とを備え、前記切替手段により録音／再生回路が録音可能に切替わっている場合は、前記イヤフォンが装置本体から取り外されたことが検出されると、受信音声が前記録音／再生回路により上書き録音されるとともに、イヤフォンスピーカーに出力されるワイヤレスイヤフォンと、前記電話機で受信しピックアップマイクロフォンを介して入力した音声信号を、前記受信回路に無線送信する送信回路と、前記イヤフォンが装置本体にセットされていることを検出するイヤフォン検出手段と、前記音声信号を装置本体に設けたスピーカーと送信回路に切り替えて出力する送信音声出力切替手段とを備え、前記イヤフォンが装置本体にセットされていることが検出された場合には、音声出力が送信回路から前記スピーカーに切替わる送信機と、から構成したことを特徴とする。
【０００６】
請求項２に記載の車載用ワイヤレスハンズフリー装置は、自動車の車内で電話機を用いてハンズフリー通話を行なうための車載用ハンズフリー装置であって、
音声信号を受信する受信回路と、受信音声を録音媒体に録音するとともに録音した音声信号を再生する録音／再生回路と、イヤフォンが装置本体から取り外されていることを検出するイヤフォン状態検出手段と、前記録音／再生回路を再生に切り替える再生スイッチとを備え、前記イヤフォンが装置本体から取り外されたことが検出されると、所定時間内に再生スイッチが操作されない場合は、自動的に受信音声が前記録音／再生回路により上書き録音されるとともに、イヤフォンスピーカーに出力され、所定時間内に再生スイッチが操作されると、それまでに上書き録音された受信音声がイヤフォンスピーカーに出力されるワイヤレスイヤフォンと、前記電話機で受信しピックアップマイクロフォンを介して入力した音声信号を、前記受信回路に無線送信する送信回路と、前記イヤフォンが装置本体にセットされていることを検出するイヤフォン検出手段と、前記音声信号を装置本体に設けたスピーカーと送信回路に切り替えて出力する送信音声出力切替手段とを備え、前記イヤフォンが装置本体にセットされていることが検出された場合には、音声出力が送信回路から前記スピーカーに切替わる送信機と、から構成したことを特徴とする。
【０００７】
請求項３に記載の車載用ワイヤレスハンズフリー装置は、請求項１又は請求項２に記載の構成において、前記受信回路が受信する音声信号若しくは音声信号の搬送波を検出している間、上書き録音を行なうことを特徴とする。
【発明の効果】
【０００８】
請求項１に記載した車載用ワイヤレスハンズフリー装置によれば、電話機からの受信音声は、本体装置のピックアップマイクロフォンを介して送信回路から、ワイヤレスイヤフォンの受信回路に無線送信される。ワイヤレスイヤフォンは、切替手段により予め録音／再生回路が録音可能状態に切替られている場合、電話が掛かってきて装置本体から取り外すと、イヤフォン状態検出手段が装置本体から取り外されていることを検出する。この検出信号に基づいて受信音声が録音／再生回路の録音媒体への上書き録音が開始されるとともに、イヤフォンスピーカーに出力される。ワイヤレスイヤフォンを装置本体に戻すことにより、受信音声は装置本体のスピーカーから出力され、直接耳で聞くことができ、これ以後の受信音声は上書き録音されることがない。ワイヤレスイヤフォンを装置本体に戻すまでに録音された受信音声は、切替手段により録音／再生回路を再生専用に切り替えて再生することができる。
【０００９】
このように、電話機が受信したときワイヤレスイヤフォンを耳へ装着することにより上書き録音を開始できる。そして、ワイヤレスイヤフォンを本体装置に戻すことにより、録音を停止してそれまでに上書き録音された通話内容を残すことができ、使い勝手を向上させた車載用ワイヤレスハンズフリー装置を提供できる。
【００１０】
請求項２に記載した車載用ワイヤレスハンズフリー装置よれば、ワイヤレスイヤフォンを装置本体から取り外した後一定時間内に再生スイッチを操作すると、録音／再生回路が再生状態に切り替わり、それまでに上書き録音された受信音声を、ワイヤレスイヤフォンから聞くことができる。
【００１１】
請求項３に記載した車載用ワイヤレスハンズフリー装置よれば、受信回路が受信する音声信号若しくは音声信号の搬送波を検出している間、上書き録音を行なうから、無音録音を排除でき録音媒体への録音時間を延長できる。
【発明を実施するための最良の形態】
【００１２】
使い勝手の良い車載用ワイヤレスハンズフリー装置を提供するという目的を、電話機が受信したときワイヤレスイヤフォンを耳へ装着することにより上書き録音を開始できるとともに、ワイヤレスイヤフォンを本体装置に戻すことにより、録音を停止して通話内容を残すことができる構成とすることで実現した。
【実施例】
【００１３】
（第１実施例）
本発明の第１実施例について添付図面を参照して説明する。図１は、第１実施例に係る車載用ワイヤレスハンズフリー装置（以下、単にハンズフリー装置という）１の概略の外観図である。ハンズフリー装置１は、自動車電話機や携帯電話機ＳＰと接続されてハンズフリー通話を行なうもので、装置本体２とワイヤレスイヤフォン（以下、単にイヤフォンという）１１と装置本体に設置された送信機２１とから構成されている。携帯電話機ＳＰは、インストルメントパネル等のドライバーが操作可能な位置にベルベット式ファスナー等を用いて取り付けられる。
【００１４】
また、装置本体２は車内のセンターコンソール部付近に設置される。本体装置２は、シガーソケットから電源が供給されるようになっている。装置本体２と携帯電話機ＳＰ間はピックアップクリップ３を介して接続される。ピックアップクリップ３のケーブル４を本体装置２に接続し、ピックアップクリップ３を携帯電話機ＳＰの受話部（スピーカー穴）に挟み込む。ピックアップクリップ３には、ピックアップマイクロフォン５が内蔵されている。また、装置本体２には後述するスピーカー２６が設けられていて、携帯電話機ＳＰの受話音声を直接聞けるようになっている。
【００１５】
イヤフォン１１は、本体装置２に対して着脱可能にセットされている。イヤフォン１１は本体装置２にセットしたとき、シガーソケットからの電源により充電される。図２は、イヤフォン１１の概略構成を示したブロック図である。イヤフォン１１は、受信回路１２、録音／再生回路１３、録音／再生切替スイッチ１４、イヤフォン状態検出センサ１５、イヤフォンスピーカー１６及び受信アンテナ１７等から構成されている。
【００１６】
受信回路１２は、後述する送信機２１から送信される携帯電話機ＳＰの音声信号を受信する。録音／再生回路１３は、受信回路１２からの音声信号を図示しない録音媒体に上書き録音したり、記録媒体から録音した音声信号を再生する。録音／再生切替スイッチ１４により、録音／再生回路１３を録音可能状態と再生専用状態の何れかに切り替える。イヤフォン状態検出センサ１５は、イヤフォン１１が本体装置２から取り外されていることを検出する。
【００１７】
図３は、装置本体２に設置された送信機２１の概略構成を示したブロック図である。送信機２１は、送信回路２２、イヤフォン検出センサ２３、送信音声切替スイッチ２４、送信アンテナ２５及びスピーカー２６から構成されている。送信回路２２は、ピックアップマイクロフォン５を介して入力した音声信号を、前記受信回路１２に無線送信する。イヤフォン検出センサ２３は、イヤフォン１１が装置本体２にセットされていることを検出する。この検出信号に基づいて、送信音声切替スイッチ２４が作動し、音声信号が送信回路２２からスピーカー２６に切替わって出力される。
【００１８】
上記構成のハンズフリー装置１は、携帯電話ＳＰが受信するとその音声信号は、本体装置２に接続されたピックアップクリップ３のピックアップマイクロフォン５を介して送信機２１の送信回路２２から、イヤフォン１１の受信回路１２に無線送信される。イヤフォン１１では、録音／再生切替スイッチ１４により予め録音／再生回路１３が録音可能状態に切替られていると、電話が掛かってきてイヤフォン１１を装置本体２から取り外すことにより、イヤフォン状態検出センサ１５が装置本体からイヤフォン１１が取り外されていることを検出する。
【００１９】
この検出信号に基づいて受信音声が録音媒体へ上書き録音されるとともに、イヤフォンスピーカー１６に出力され、イヤフォン１１を耳に掛けて受信音声を聞き取ることができる。イヤフォン１１を装置本体２に戻すことにより、受信音声は装置本体２のスピーカー２６から出力され、直接耳で聞くことができ、これ以後の受信音声は上書き録音されることがない。従って、イヤフォン１１を装置本体２に戻すまでに録音された受信音声は、イヤフォン１１を耳に掛けた状態で、録音／再生切替スイッチ１４を操作して、録音／再生回路１３を再生専用に切り替えて再生する。
【００２０】
上記第１実施例のハンズフリー装置１は、携帯電話ＳＰが受信したときイヤフォン１１を耳へ装着することにより録音を開始できるとともに、イヤフォン１１を本体装置２に戻すことにより、録音を停止して通話内容を残すことができる。従って、ハンズフリー装置１の使い勝手を向上させることができる。
【００２１】
図４は、変形例を示したイヤフォン１１ａの概略構成を示したブロック図である。イヤフォン１１ａの基本構成はイヤフォン１１と同一であり、受信回路１２、録音／再生回路１３、録音／再生切替スイッチ１４、イヤフォンスピーカー１６及び受信アンテナ１７を備えている。受信回路１２には、受信する音声信号若しくは音声信号の搬送波を検出する検出信号出力回路１２ａが組み込まれている。
【００２２】
録音／再生切替スイッチ１４により録音／再生回路１３が録音可能状態に切り替えられていると、この検出信号出力回路１２ａの検出信号が出力されている間、上書き録音される。録音／再生切替スイッチ１４が再生専用に切り替えられている場合は、上書き録音は禁止される。従って、無音録音を排除でき録音媒体への録音時間を延長できる。
【００２３】
（第２実施例）
図５は、第２実施例に係るハンズフリー装置に使用するイヤフォン３１の概略構成を示したブロック図である。イヤフォン３１は、イヤフォン１１の録音／再生切替スイッチ１４の代わりに、再生スイッチである再生ボタン３２を設けたものである。その他の構成は、第１実施例と同様であるので詳細な説明は省略する。
【００２４】
イヤフオン３１は装置本体２から取り外した後、一定時間（１秒程度）内に再生ボタン３２を押すと、録音／再生回路１３が再生状態に切り替わり、それまでに上書き録音された受信音声を、イヤフォンスピーカー１６により聞くことができる。
【００２５】
尚、上記変形例のイヤフォン１１ａの検出信号出力回路１２ａは、イヤフォン３１にも組み込むことができるのは勿論のことである。
【図面の簡単な説明】
【００２６】
【図１】実施例に係るハンズフリー装置の概略の外観図である。
【図２】第１実施例に係るイヤフォンの概略構成を示したブロック図である。
【図３】第１実施例に係る送信機の概略構成を示したブロック図である。
【図４】第１実施例に係るイヤフォンの変形例の概略構成を示したブロック図である。
【図５】第２実施例に係るイヤフォンの概略構成を示したブロック図である。
【符号の説明】
【００２７】
１  ハンズフリー装置
２  装置本体
３  ピックアップクリップ
５  ピックアップマイクロフォン
１１、１１ａ、３１  イヤフォン
１２  受信回路
１２ａ  検出回路
１３  録音／再生回路
１４  録音／再生切替スイッチ
１５  イヤフォン状態検出センサ
１６  イヤフォンスピーカー
２１  送信機
２２  送信回路
２３  イヤフォン検出センサ
２４  送信音声切替スイッチ
２６  スピーカー
３２  再生ボタン
【図１】
2006180011.tif 000003
【図２】
2006180011.tif 000004
【図３】
2006180011.tif 000005
【図４】
2006180011.tif 000006
【図５】
2006180011.tif 000007